(57)【特許請求の範囲】
【請求項１】
第１のＰＣａ床版における橋軸直角方向に延在する第１の接合端面の上部及び下部から延出するように前記橋軸直角方向に間隔をおいて配置され、それぞれ先端に定着部を有する複数の第１上継手鉄筋及び複数の第１下継手鉄筋と、
前記第１のＰＣａ床版に対して橋軸方向に隙間を空けて近接配置された第２のＰＣａ床版における前記第１の接合端面に対向する第２の接合端面の上部及び下部から延出するように前記橋軸直角方向に間隔をおいて配置され、それぞれ先端に定着部を有し、且つ対応する前記第１上継手鉄筋又は前記第１下継手鉄筋と重なる延出長さを有する複数の第２上継手鉄筋及び複数の第２下継手鉄筋と、
前記第１下継手鉄筋及び前記第２下継手鉄筋の互いに重なる部分の下方において前記橋軸直角方向に延在する下部拘束部、及び当該下部拘束部と協働して、複数本の前記第１下継手鉄筋及び前記第２下継手鉄筋を３方から囲むように前記下部拘束部の両端から上方に延出する一対の第１側部拘束部を含み、前記橋軸直角方向にオーバーラップしながら同じ列で連続するように設けられる複数の下補強筋と、
前記第１上継手鉄筋及び前記第２上継手鉄筋の互いに重なる部分の上方において前記橋軸直角方向に延在する上部拘束部、及び当該上部拘束部と協働して、複数本の前記第１上継手鉄筋及び前記第２上継手鉄筋を３方から囲むように前記上部拘束部の両端から下方に延出する一対の第２側部拘束部を含み、前記橋軸直角方向にオーバーラップしながら同じ列で連続するように設けられる複数の上補強筋と、
前記第１上継手鉄筋、前記第１下継手鉄筋、前記第２上継手鉄筋、前記第２下継手鉄筋、前記下補強筋及び前記上補強筋を巻き込むように前記隙間に構築される継手コンクリートと
を備え、
連続するように設けられた一対の前記下補強筋が、前記下部拘束部の前記オーバーラップする部分、及び当該オーバーラップする部分の両端に設けられた一対の前記下補強筋の一方の前記第１側部拘束部により、複数本の前記第１下継手鉄筋及び前記第２下継手鉄筋、並びに複数本の前記第１上継手鉄筋及び前記第２上継手鉄筋を３方から囲み、
連続するように設けられた一対の前記上補強筋が、前記上部拘束部の前記オーバーラップする部分、及び当該オーバーラップする部分の両端に設けられた一対の前記上補強筋の一方の前記第２側部拘束部により、複数本の前記第１上継手鉄筋及び前記第２上継手鉄筋、並びに複数本の前記第１下継手鉄筋及び前記第２下継手鉄筋を３方から囲むことを特徴とするＰＣａ床版の継手構造。
【請求項２】
前記下補強筋が、前記第１側部拘束部の上端から前記第１上継手鉄筋と近接して橋軸方向に延出する一対の第１延出部を更に有し、
前記上補強筋が、前記第２側部拘束部の下端から前記第２下継手鉄筋と近接して橋軸方向に延出する一対の第２延出部を更に有することを特徴とする請求項１に記載のＰＣａ床版の継手構造。
【請求項３】
前記第１上継手鉄筋と前記第１下継手鉄筋とは、前記橋軸直角方向において互いに対応する位置に設けられ、
前記第２上継手鉄筋と前記第２下継手鉄筋とは、前記橋軸直角方向において前記第１上継手鉄筋及び前記第１下継手鉄筋と異なる互いに対応する位置に設けられ、
前記連続するように設けられた一対の前記下補強筋の前記オーバーラップする部分が一対の前記上補強筋の一方の前記第２側部拘束部と協働して３方から囲む前記第１上継手鉄筋、前記第２上継手鉄筋、前記第１下継手鉄筋及び前記第２下継手鉄筋と、前記連続するように設けられた一対の前記上補強筋の前記オーバーラップする部分が一対の前記上補強筋の一方の前記第２側部拘束部と協働して３方から囲む前記第１上継手鉄筋、前記第２上継手鉄筋、前記第１下継手鉄筋及び前記第２下継手鉄筋とが、少なくとも一部で異なることを特徴とする請求項１又は請求項２に記載のＰＣａ床版の継手構造。
【請求項４】
前記下補強筋が、前記第１下継手鉄筋の前記定着部の近傍及び前記第２下継手鉄筋の前記定着部の近傍を含む橋軸方向の複数列に配置され、
前記上補強筋が、前記第１上継手鉄筋の前記定着部の近傍及び前記第２上継手鉄筋の前記定着部の近傍を含む橋軸方向の複数列に配置されていることを特徴とする請求項１〜請求項３のいずれかに記載のＰＣａ床版の継手構造。
【請求項５】
前記第１下継手鉄筋及び前記第２下継手鉄筋の互いに重なる部分の下方において前記橋軸直角方向に延在し、前記第１下継手鉄筋及び前記第２下継手鉄筋の全てに亘る長さを有する下通し筋と、
前記第１上継手鉄筋及び前記第２上継手鉄筋の互いに重なる部分の上方において前記橋軸直角方向に延在し、前記第１上継手鉄筋及び前記第２上継手鉄筋の全てに亘る長さを有する上通し筋と
を更に備えることを特徴とする請求項１〜請求項４のいずれかに記載のＰＣａ床版の継手構造。
【請求項６】
橋軸直角方向に延在する第１の接合端面の上部及び下部から延出するように橋軸直角方向に間隔をおいて配置され、それぞれ先端に定着部を有する複数の第１上継手鉄筋及び複数の第１下継手鉄筋を備える第１のＰＣａ床版を用意するステップと、
橋軸直角方向に延在する第２の接合端面の上部及び下部から延出するように橋軸直角方向に間隔をおいて配置され、それぞれ先端に定着部を有する複数の第２上継手鉄筋及び複数の第２下継手鉄筋を備える第２のＰＣａ床版を用意するステップと、
前記橋軸直角方向に延在する下部拘束部、及び当該下部拘束部の両端から上方に延出する一対の第１側部拘束部を含む複数の下補強筋を用意するステップと、
前記橋軸直角方向に延在する上部拘束部、及び当該上部拘束部の両端から下方に延出する一対の第２側部拘束部を含む複数の上補強筋を用意するステップと、
橋桁上の所定の位置に前記第１のＰＣａ床版を配置するステップと、
前記第２の接合端面と前記第１の接合端面との間に隙間が形成され、且つ前記第２上継手鉄筋が前記第１上継手鉄筋と重なり、前記第２下継手鉄筋が前記第１下継手鉄筋と重なるように、前記橋桁上の前記第１のＰＣａ床版に近接する位置に前記第２のＰＣａ床版を配置するステップと、
前記下部拘束部が前記第１下継手鉄筋及び前記第２下継手鉄筋の互いに重なる部分の下方に位置し、且つ前記下部拘束部と前記一対の第１側部拘束部とにより複数本の前記第１下継手鉄筋及び前記第２下継手鉄筋を３方から囲むように且つ前記橋軸直角方向にオーバーラップしながら同じ列で連続するように複数の前記下補強筋を配置するステップと、
前記上部拘束部が前記第１上継手鉄筋及び前記第２上継手鉄筋の互いに重なる部分の上方に位置し、且つ前記上部拘束部と前記一対の第２側部拘束部とにより複数本の前記第１上継手鉄筋及び前記第２上継手鉄筋を３方から囲むように且つ前記橋軸直角方向にオーバーラップしながら同じ列で連続するように複数の前記上補強筋を配置するステップと、
前記第１上継手鉄筋、前記第１下継手鉄筋、前記第２上継手鉄筋、前記第２下継手鉄筋、前記下補強筋及び前記上補強筋を巻き込むように前記隙間に継手コンクリートを構築するステップと
を備え、
前記下補強筋を配置するステップが、前記第１のＰＣａ床版を配置するステップの前に行われ、
前記上補強筋を配置するステップが、前記第２のＰＣａ床版を配置するステップの前に行われ、
前記下補強筋を配置するステップでは、連続するように設けられた一対の前記下補強筋が、前記下部拘束部の前記オーバーラップする部分、及び当該オーバーラップする部分の両端に設けられた一対の前記下補強筋の一方の前記第１側部拘束部により、複数本の前記第１下継手鉄筋及び前記第２下継手鉄筋、並びに複数本の前記第１上継手鉄筋及び前記第２上継手鉄筋を３方から囲むように複数の前記下補強筋を配置し、
前記上補強筋を配置するステップでは、連続するように設けられた一対の前記上補強筋が、前記上部拘束部の前記オーバーラップする部分、及び当該オーバーラップする部分の両端に設けられた一対の前記上補強筋の一方の前記第２側部拘束部により、複数本の前記第１上継手鉄筋及び前記第２上継手鉄筋、並びに複数本の前記第１下継手鉄筋及び前記第２下継手鉄筋を３方から囲むように複数の前記上補強筋を配置することを特徴とするＰＣａ床版の継手構造の構築方法。
【発明の詳細な説明】
【技術分野】
【０００１】
本発明は、ＰＣａ床版（プレキャストコンクリート床版）の継手構造及びその構築方法に関する。
【背景技術】
【０００２】
橋梁の床版として、複数のＰＣａ床版を橋軸方向に並ぶように橋桁の上に近接配置し、互いに近接するＰＣａ床版同士を一体化することにより構築されるものがある。このようなＰＣａ床版の継手構造としてＲＣループ継手が広く用いられている（特許文献１の図１５、図１６参照）。ＲＣループ継手を用いたＰＣａ床版は、複数のループ状鉄筋を、橋軸直角方向に間隔をおいて且つ床版本体の接合端面から延出するように配置し、ループ状鉄筋を埋め込むようにコンクリートを打設して形成される。ループ状鉄筋は、ＰＣａ床版の厚み方向に円弧を描くように湾曲し、近接配置されるＰＣａ床版のループ状鉄筋と互いに重なり合う延出寸法に形成される。そして、近接配置された一対のＰＣａ床版のループ状鉄筋によって形成される閉断面形状部分の内側に橋軸直角方向に延在する補強鉄筋が配置され、この状態で両ＰＣａ床版の床版本体間にコンクリートが打設されることにより、ＲＣループ継手が構築される。
【０００３】
ところが、このＲＣループ継手では、ＰＣａ床版の配置前に予め補強鉄筋をループ状鉄筋の内側に配置しておくことができず、一対のＰＣａ床版を所定の位置に配置した後に、ループ状鉄筋の内側に補強鉄筋を挿入しなければならない。そのため施工が煩雑であった。そこで、特許文献１に記載のプレキャスト床版では、床版本体から橋軸方向に張り出すループ状鉄筋を、それぞれ先端にエンドバンドを有する上部継手鉄筋と下部継手鉄筋とに置き換え、これらの継手鉄筋を上下方向及び橋軸直角方向に間隔をおいて配置し、上部継手鉄筋の張り出し基端部となる床版本体の上部端面を下部継手鉄筋の張り出し基端部となる床版本体の下部端面よりも凹ませることによって補強鉄筋用の仮置き収容溝を形成している（特許文献１参照）。
【先行技術文献】
【特許文献】
【０００４】
【特許文献１】特開２０１２−６２６６４号公報
【発明の概要】
【発明が解決しようとする課題】
【０００５】
しかしながら、特許文献１の継手構造では、上部継手鉄筋と下部継手鉄筋との間に補強鉄筋が配置されるだけであるため、上部継手鉄筋や下部継手鉄筋のエンドバンドに支圧が加わると、上部継手鉄筋の上方や下部継手鉄筋の下方のコンクリートにひび割れが発生する虞がある。また、特許文献１の継手構造では、ＰＣａ床版の配置後に上下の継手鉄筋の間に補強鉄筋を挿入する必要はないが、仮置きしておいた補強鉄筋をＰＣａ床版の配置後に適正な位置に配置するために現場での鉄筋組立作業が必要である。更に、補強鉄筋を仮置きするために床版本体の上部端面を下部端面よりも凹ませる必要があるため、継手の橋軸方向寸法が大きくなり、現場で継手部に打設するコンクリート量が多くなる。
【０００６】
本発明は、このような背景に鑑み、コンクリートのひび割れの発生を抑制でき、現場での鉄筋組立作業量やコンクリート打設量を低減できるＰＣａ床版の継手構造及びその構築方法を提供することを課題とする。
【課題を解決するための手段】
【０００７】
上記課題を解決するために、本発明に係るＰＣａ床版（８）の継手構造（１０）は、第１のＰＣａ床版（８Ａ）における橋軸直角方向に延在する第１の接合端面（１２Ａ）の上部（１２Ｕ）及び下部（１２Ｌ）から延出するように前記橋軸直角方向に間隔をおいて配置され、それぞれ先端に定着部（２３）を有する複数の第１上継手鉄筋（２１Ｕ）及び複数の第１下継手鉄筋（２１Ｌ）と、前記第１のＰＣａ床版（８Ａ）に対して橋軸方向に隙間（Ｇ）を空けて近接配置された第２のＰＣａ床版（８Ｂ）における前記第１の接合端面（１２Ａ）に対向する第２の接合端面（１２Ｂ）の上部（１２Ｕ）及び下部（１２Ｌ）から延出するように前記橋軸直角方向に間隔をおいて配置され、それぞれ先端に定着部（２３）を有し、且つ対応する前記第１上継手鉄筋（２１Ｕ）又は前記第１下継手鉄筋（２１Ｌ）と重なる延出長さを有する複数の第２上継手鉄筋（２２Ｕ）及び複数の第２下継手鉄筋（２２Ｌ）と、前記第１下継手鉄筋（２１Ｌ）及び前記第２下継手鉄筋（２２Ｌ）の互いに重なる部分の下方において前記橋軸直角方向に延在する下部拘束部（２７ａ）、及び当該下部拘束部（２７ａ）と協働して、複数本の前記第１下継手鉄筋（２１Ｌ）及び前記第２下継手鉄筋（２２Ｌ）を３方から囲むように下部拘束部（２７ａ）の両端から上方に延出する一対の第１側部拘束部（２７ｂ）を含み、前記橋軸直角方向にオーバーラップしながら連続するように設けられる複数の下補強筋（２７）と、前記第１上継手鉄筋（２１Ｕ）及び前記第２上継手鉄筋（２２Ｕ）の互いに重なる部分の上方において前記橋軸直角方向に延在する上部拘束部（２８ａ）、及び当該上部拘束部（２８ａ）と協働して、複数本の前記第１上継手鉄筋（２１Ｕ）及び前記第２上継手鉄筋（２２Ｕ）を３方から囲むように前記上部拘束部（２８ａ）の両端から下方に延出する一対の第２側部拘束部（２８ｂ）を含み、前記橋軸直角方向にオーバーラップしながら連続するように設けられる複数の上補強筋（２８）と、前記第１上継手鉄筋（２１Ｕ）、前記第１下継手鉄筋（２１Ｌ）、前記第２上継手鉄筋（２２Ｕ）、前記第２下継手鉄筋（２２Ｌ）、前記下補強筋（２７）及び前記上補強筋（２８）を巻き込むように前記隙間（Ｇ）に構築される継手コンクリート（１３）とを備える構成とする。
【０００８】
また、上記課題を解決するために、本発明に係るＰＣａ床版（８）の継手構造（１０）の構築方法は、橋軸直角方向に延在する第１の接合端面（１２Ａ）の上部及び下部から延出するように橋軸直角方向に間隔をおいて配置され、それぞれ先端に定着部を有する複数の第１上継手鉄筋（２１Ｕ）及び複数の第１下継手鉄筋（２１Ｌ）を備える第１のＰＣａ床版（８Ａ）を用意するステップと、橋軸直角方向に延在する第２の接合端面（１２Ｂ）の上部及び下部から延出するように橋軸直角方向に間隔をおいて配置され、それぞれ先端に定着部を有する複数の第２上継手鉄筋（２２Ｕ）及び複数の第２下継手鉄筋（２２Ｌ）を備える第２のＰＣａ床版（８Ｂ）を用意するステップと、前記橋軸直角方向に延在する下部拘束部（２７ａ）、及び当該下部拘束部（２７ａ）の両端から上方に延出する一対の第１側部拘束部（２７ｂ）を含む複数の下補強筋（２７）を用意するステップと、前記橋軸直角方向に延在する上部拘束部（２８ａ）、及び当該上部拘束部（２８ａ）の両端から下方に延出する一対の第２側部拘束部（２８ｂ）を含む複数の上補強筋（２８）を用意するステップと、橋桁上の所定の位置に前記第１のＰＣａ床版（８Ａ）を配置するステップと、前記第２の接合端面（１２Ｂ）と前記第１の接合端面（１２Ａ）との間に隙間（Ｇ）が形成され、且つ前記第２上継手鉄筋（２２Ｕ）が前記第１上継手鉄筋（２１Ｕ）と重なり、前記第２下継手鉄筋（２２Ｌ）が前記第１下継手鉄筋（２１Ｌ）と重なるように、前記橋桁上の前記第１のＰＣａ床版（８Ａ）に近接する位置に前記第２のＰＣａ床版（８Ｂ）を配置するステップと、前記下部拘束部（２７ａ）が前記第１下継手鉄筋（２１Ｌ）及び前記第２下継手鉄筋（２２Ｌ）の互いに重なる部分の下方に位置し、且つ前記下部拘束部（２７ａ）と前記一対の第１側部拘束部（２７ｂ）とにより複数本の前記第１下継手鉄筋（２１Ｌ）及び前記第２下継手鉄筋（２２Ｌ）を３方から囲むように前記下補強筋（２７）を配置するステップと、前記上部拘束部（２８ａ）が前記第１上継手鉄筋（２１Ｕ）及び前記第２上継手鉄筋（２２Ｕ）の互いに重なる部分の上方に位置し、且つ前記上部拘束部（２８ａ）と前記一対の第２側部拘束部（２８ｂ）とにより複数本の前記第１上継手鉄筋（２１Ｕ）及び前記第２上継手鉄筋（２２Ｕ）を３方から囲むように前記上補強筋（２８）を配置するステップと、前記第１上継手鉄筋（２１Ｕ）、前記第１下継手鉄筋（２１Ｌ）、前記第２上継手鉄筋（２２Ｕ）、前記第２下継手鉄筋（２２Ｌ）、前記下補強筋（２７）及び前記上補強筋（２８）を巻き込むように前記隙間（Ｇ）に継手コンクリート（１３）を構築するステップとを備え、前記下補強筋（２７）を配置するステップが、前記第１のＰＣａ床版（８Ａ）を配置するステップの前に行われ、前記上補強筋（２８）を配置するステップが、前記第２のＰＣａ床版（８Ｂ）を配置するステップの前に行われる構成とする。
【０００９】
これらの構成によれば、第１及び第２下継手鉄筋が下補強筋によって拘束され、第１及び第２上継手鉄筋が上補強筋によって拘束され、継手コンクリートの拘束力が高まるため、定着部の支圧によってコンクリートにひび割れが生じることを抑制できる。また、下補強筋を予め第１のＰＣａ床版に組み付けた状態で第１のＰＣａ床版を配置し、上補強筋を第２のＰＣａ床版に予め組み付けた状態で第２のＰＣａ床版を配置することができるため、現場での鉄筋組立作業量を低減できる。更に、第１の接合端面及び第２の接合端面を凹ませなくても、下補強筋及び上補強筋を所定の位置に配置できるため、現場でのコンクリート打設量を低減できる。
【００１０】
また、上記の発明において、前記下補強筋（２７）が、前記第１側部拘束部（２７ｂ）の上端から前記第１上継手鉄筋（２１Ｕ）と近接して橋軸方向に延出する一対の第１延出部（２７ｃ）を更に有し、前記上補強筋（２８）が、前記第２側部拘束部（２８ｂ）の下端から前記第２下継手鉄筋（２２Ｌ）と近接して橋軸方向に延出する一対の第２延出部（２８ｃ）を更に有する構成とするとよい。
【００１１】
この構成によれば、第１側部拘束部及び第２側部拘束部の継手コンクリートへの付着力が高くなり、下補強筋による第１及び第２下継手鉄筋の拘束力及び上補強筋による第１及び第２上継手鉄筋の拘束力を高めることができるため、コンクリートのひび割れを効果的に抑制できる。
【００１２】
また、上記の発明において、連続するように設けられた一対の前記下補強筋（２７）が、前記下部拘束部（２７ａ）の前記オーバーラップする部分、及び当該オーバーラップする部分の両端に設けられた一対の前記第１側部拘束部（２７ｂ）により、複数本の前記第１下継手鉄筋（２１Ｌ）及び前記第２下継手鉄筋（２２Ｌ）、並びに複数本の前記第１上継手鉄筋（２１Ｕ）及び前記第２上継手鉄筋（２２Ｕ）を３方から囲み、連続するように設けられた一対の前記上補強筋（２８）が、前記上部拘束部（２８ａ）の前記オーバーラップする部分、及び当該オーバーラップする部分の両端に設けられた一対の前記第２側部拘束部（２８ｂ）により、複数本の前記第１上継手鉄筋（２１Ｕ）及び前記第２上継手鉄筋（２２Ｕ）、並びに複数本の前記第１下継手鉄筋（２１Ｌ）及び前記第２下継手鉄筋（２２Ｌ）を３方から囲む構成とするとよい。
【００１３】
この構成によれば、複数本の第１下継手鉄筋及び第２下継手鉄筋並びに複数本の第１上継手鉄筋及び第２上継手鉄筋が、１本の下補強筋や上補強筋だけでなく、これらのオーバーラップする部分によっても３方から囲まれるため、下補強筋や上補強筋による第１及び第２下継手鉄筋の拘束力及び第１及び第２上継手鉄筋の拘束力を高めることができる。
【００１４】
また、上記の発明において、前記第１上継手鉄筋（２１Ｕ）と前記第１下継手鉄筋（２１Ｌ）とは、前記橋軸直角方向において互いに対応する位置に設けられ、前記第２上継手鉄筋（２２Ｕ）と前記第２下継手鉄筋（２２Ｌ）とは、前記橋軸直角方向において前記第１上継手鉄筋（２１Ｕ）及び前記第１下継手鉄筋（２１Ｌ）と異なる互いに対応する位置に設けられ、前記連続するように設けられた一対の前記下補強筋（２７）の前記オーバーラップする部分が３方から囲む前記第１上継手鉄筋（２１Ｕ）、前記第２上継手鉄筋（２２Ｕ）、前記第１下継手鉄筋（２１Ｌ）及び前記第２下継手鉄筋（２２Ｌ）と、前記連続するように設けられた一対の前記上補強筋（２８）の前記オーバーラップする部分が３方から囲む前記第１上継手鉄筋（２１Ｕ）、前記第２上継手鉄筋（２２Ｕ）、前記第１下継手鉄筋（２１Ｌ）及び前記第２下継手鉄筋（２２Ｌ）とが、少なくとも一部で異なる構成とするとよい。
【００１５】
この構成によれば、下補強筋により３方から囲まれる継手鉄筋のグループと、上補強筋により３方から囲まれる継手鉄筋のグループとを分散配置することができる。これにより、下補強筋及び上補強筋による第１及び第２継手鉄筋及び継手コンクリートに対する拘束力を均等に高めることができる。
【００１６】
また、上記の発明において、前記下補強筋（２７）が、前記第１下継手鉄筋（２１Ｌ）の前記定着部の近傍及び前記第２下継手鉄筋（２２Ｌ）の前記定着部の近傍を含む橋軸方向の複数列に配置され、前記上補強筋（２８）が、前記第１上継手鉄筋（２１Ｕ）の前記定着部の近傍及び前記第２上継手鉄筋（２２Ｕ）の前記定着部の近傍を含む橋軸方向の複数列に配置されている構成とするとよい。
【００１７】
この構成によれば、第１上継手鉄筋と第２上継手鉄筋との重なり長さ、及び第１下継手鉄筋と第２下継手鉄筋との重なり長さを長くして、これらの継手コンクリートに対する付着力を確保すると共に、下補強筋及び上補強筋の拘束力を効果的に高めることができる。
【００１８】
また、上記の発明において、前記第１下継手鉄筋（２１Ｌ）及び前記第２下継手鉄筋（２２Ｌ）の互いに重なる部分の下方において前記橋軸直角方向に延在し、前記第１下継手鉄筋（２１Ｌ）及び前記第２下継手鉄筋（２２Ｌ）の全てに亘る長さを有する下通し筋（２５）と、前記第１上継手鉄筋（２１Ｕ）及び前記第２上継手鉄筋（２２Ｕ）の互いに重なる部分の上方において前記橋軸直角方向に延在し、前記第１上継手鉄筋（２１Ｕ）及び前記第２上継手鉄筋（２２Ｕ）の全てに亘る長さを有する上通し筋（２６）とを更に備える構成とするとよい。
【００１９】
この構成によれば、継手部分の橋軸直角方向における曲げ耐力を向上させることができる。また、下補強筋及び上補強筋による第１及び第２継手鉄筋及び継手コンクリートに対する拘束力を橋軸直角方向において均等にすることができる。
【発明の効果】
【００２０】
このように本発明によれば、現場での鉄筋組立作業量及び現場でのコンクリート打設量を抑制できるＰＣａ床版の継手構造及びその構築方法を提供することができる。
【図面の簡単な説明】
【００２１】
【図１】実施形態に係るＰＣａ床版の組立状態を示す概略斜視図
【図２】実施形態に係るＰＣａ床版の継手構造の縦断面図
【図３】図２中のIII−III断面図
【図４】図２中のIV−IV断面図
【図５】図２中の（Ａ）ＶＡ−ＶＡ断面、（Ｂ）ＶＢ−ＶＢ断面、（Ｃ）ＡとＢとを合成した断面図
【図６】図２に示される（Ａ）下補強筋、（Ｂ）上補強筋の斜視図
【図７】ＰＣａ床版の（Ａ）平面、（Ｂ）Ｂ断面、（Ｃ）Ｃ断面図
【図８】ＰＣａ床版の組立手順の説明図
【発明を実施するための形態】
【００２２】
以下、図面を参照して、本発明の実施形態に係るＰＣａ床版８の継手構造１０及びその構築方法について詳細に説明する。
【００２３】
図１は、実施形態に係るＰＣａ床版８の継手構造１０を適用した橋梁１の組立状態を示す概略斜視図である。図示されるように、橋梁１は、橋軸方向に離間して設けられた一対の橋脚２（図には一方の橋脚２のみが示される）と、一対の橋脚２に架け渡される橋桁３と、橋桁３上に構築される床版４とを有している。橋梁１は、道路橋として利用されてよく、他の目的に利用されてもよい。一対の橋脚２は、一方又は両方が橋台であってもよい。橋桁３は支承５を介して橋脚２上に配置される。本実施形態では、橋軸方向に延在する互いに平行をなす３本の桁６と、橋軸直角方向に互いに隣接する桁６同士を連結する図示しない対傾構とによって橋桁３が構成されている。
【００２４】
床版４は、橋軸方向に分割されてなる床版部分をそれぞれ構成する複数のＰＣａ床版８を用いて構築される。具体的には、床版４は、複数のＰＣａ床版８を、隙間Ｇを空けながら順次橋軸方向に近接配置し、互いに近接する一対のＰＣａ床版８間に継手構造１０を順次構築して複数のＰＣａ床版８を連結することにより構築される。図示されるＰＣａ床版８は全て同じ形状とされている。橋桁３の始端部や終端部、ジョイント等では異なる形状又は寸法のＰＣａ床版８が用いられてもよい。図示は省略しているが、橋桁３の上面には床版固定用のスタッドが植設されている。一方、ＰＣａ床版８のスタッドに対応する位置には、スタッドを受容し、その状態で充填材が充填されることによってＰＣａ床版８を橋桁３に固定するための固定孔９が形成されている。
【００２５】
図２は、ＰＣａ床版８の継手構造１０周辺の縦断面を、コンクリートを透視したように示している。コンクリートや鉄筋のハッチングは省略している。図３以降の断面図においても同様である。
【００２６】
図１及び図２に示されるように、ＰＣａ床版８（８Ａ、８Ｂ）は、鉄筋コンクリート製の床版本体部１１を備えている。床版本体部１１は、平面視において橋軸直角方向に長い概ね矩形を呈する板状とされている。床版本体部１１の橋軸方向の一端面及び他端面は、それぞれ橋軸方向に近接配置されたＰＣａ床版８との接合端面１２（１２Ａ、１２Ｂ）となる。以下、図２中の左側に位置し、橋桁３上の所定の位置に先に配置されるＰＣａ床版８を第１のＰＣａ床版８Ａと称し、図２中の右側に位置し、第１のＰＣａ床版８Ａに近接する橋桁３上の所定の位置に後から配置されるＰＣａ床版８を第２のＰＣａ床版８Ｂと称する。両者を区別しない場合には、単にＰＣａ床版８と称する。また、先に配置される第１のＰＣａ床版８Ａの第２のＰＣａ床版８Ｂ側（図２中の右側）の端面を第１の接合端面１２Ａと称し、後から配置される第２のＰＣａ床版８Ｂの第１のＰＣａ床版８Ａ側（図２中の左側）の端面を第２の接合端面１２Ｂと称する。両者を区別しない場合には、単に接合端面１２と称する。
【００２７】
図２に示されるように、ＰＣａ床版８の接合端面１２は、それぞれ橋軸直角方向に延在し、略鉛直に延在する接合面下部１２Ｌ、接合面下部１２Ｌに対して橋軸方向に凹んだ位置にて略鉛直に延在する接合面上部１２Ｕ、及び接合面下部１２Ｌと接合面上部１２Ｕとを接続し、斜めに延在する接合面中間部１２Ｍとにより構成される。これにより、所定の位置に配置された第１のＰＣａ床版８Ａの第１の接合端面１２Ａと第２のＰＣａ床版８Ｂの第２の接合端面１２Ｂとの隙間Ｇは、下部に比べて上部で広くなっている。コンクリートがこの隙間Ｇに打設されて硬化することによって継手コンクリート１３になる。
【００２８】
ＰＣａ床版８は、第１の接合端面１２Ａから延出するように床版本体部１１に一体に設けられた複数の第１下継手鉄筋２１Ｌ及び複数の第１上継手鉄筋２１Ｕと、第２の接合端面１２Ｂから延出するように床版本体部１１に一体に設けられた複数の第２下継手鉄筋２２Ｌ及び複数の第２上継手鉄筋２２Ｕとを備えている。以下、第１下継手鉄筋２１Ｌと第１上継手鉄筋２１Ｕとを合わせて第１継手鉄筋２１と称し、第２下継手鉄筋２２Ｌと第２上継手鉄筋２２Ｕとを合わせて第２継手鉄筋２２と称し、第１継手鉄筋２１と第２継手鉄筋２２とを合わせて継手鉄筋２１、２２と称する。継手鉄筋２１、２２は、橋軸方向に延在し、床版４の主筋を構成する。
【００２９】
全ての継手鉄筋２１、２２の先端には、拡径した定着部２３が一体に設けられている。定着部２３は、継手鉄筋２１、２２の先端に取り付けられたエンドバンドにより構成されてもよく、継手鉄筋２１、２２の製造時又は製造後の加工時に継手鉄筋２１、２２の先端自体を拡径させてなる拡径部により構成されてもよい。定着部２３は、継手鉄筋２１、２２に対して拡径されていることにより、継手鉄筋２１、２２に橋軸方向の圧縮力又は引張力が加わった時に支圧力を継手コンクリート１３に伝達し、継手鉄筋２１、２２の継手コンクリート１３に対する定着力を向上させる。
【００３０】
第１下継手鉄筋２１Ｌは、第１の接合端面１２Ａの接合面下部１２Ｌから延出しており、橋軸直角方向に所定の間隔をおいて配置されている。第１上継手鉄筋２１Ｕは、第１の接合端面１２Ａの接合面上部１２Ｕから延出しており、橋軸直角方向に所定の間隔をおいて、第１下継手鉄筋２１Ｌと橋軸直角方向における同じ位置に配置されている。第２下継手鉄筋２２Ｌは、第２の接合端面１２Ｂの接合面下部１２Ｌから延出しており、橋軸直角方向に所定の間隔をおいて配置されている。第２上継手鉄筋２２Ｕは、第２の接合端面１２Ｂの接合面上部１２Ｕから延出しており、橋軸直角方向に所定の間隔をおいて、第２下継手鉄筋２２Ｌと橋軸直角方向における同じ位置に配置されている。
【００３１】
図３は、図２中のIII−III断面を示し、図４は、図２中のIV−IV断面を示している。図２〜図４に示されるように、第２継手鉄筋２２は、橋軸直角方向において第１継手鉄筋２１と異なる位置に配置されている。より具体的には、第２継手鉄筋２２は、橋軸直角方向に互いに隣接する第１継手鉄筋２１の中央に配置されている。第１下継手鉄筋２１Ｌ及び第２下継手鉄筋２２Ｌは、互いの大部分が橋軸方向に重なる延出長さを有している。また、第１上継手鉄筋２１Ｕ及び第２上継手鉄筋２２Ｕも、互いの大部分が橋軸方向に重なる延出長さを有している。
【００３２】
図２及び図３に示されるように、第１下継手鉄筋２１Ｌ及び第２下継手鉄筋２２Ｌの下方には、橋軸方向に所定の間隔を空けて複数の下通し筋２５が配置されている。下通し筋２５は、床版本体部１１の内部及び継手コンクリート１３の内部の両方に配置される。下通し筋２５は、橋軸直角方向に延在し、全ての第１下継手鉄筋２１Ｌ及び第２下継手鉄筋２２Ｌに亘る長さを有しており、配力筋を構成する。なお、下通し筋２５は、上記長さを有する１本の鉄筋により構成される必要はなく、重ね継手等によって接続された複数本の鉄筋により構成されてもよい。本実施形態では、継手コンクリート１３の内部に３本の下通し筋２５が配置されている。中央の下通し筋２５は、互いに対向する接合面下部１２Ｌの中央に配置され、両端の２本の下通し筋２５は、第１下継手鉄筋２１Ｌと第２下継手鉄筋２２Ｌとの重なり部における定着部２３の近傍に配置されている。
【００３３】
図２及び図４に示されるように、第１上継手鉄筋２１Ｕ及び第２上継手鉄筋２２Ｕの上方には、橋軸方向に所定の間隔を空けて複数の上通し筋２６が配置されている。上通し筋２６は、床版本体部１１の内部及び継手コンクリート１３の内部の両方に配置される。上通し筋２６は、橋軸直角方向に延在し、全ての第１上継手鉄筋２１Ｕ及び第２上継手鉄筋２２Ｕに亘る長さを有しており、配力筋を構成する。上通し筋２６は、上記長さを有する１本の鉄筋により構成される必要はなく、重ね継手等によって接続された複数本の鉄筋により構成されてもよい。本実施形態では、継手コンクリート１３の内部に５本の上通し筋２６が配置されている。中央の上通し筋２６は、互いに対向する接合面上部１２Ｕの中央に配置され、両端の２本の上通し筋２６は、第１上継手鉄筋２１Ｕと第２上継手鉄筋２２Ｕとの重なり部の外に配置され、残りの２本の上通し筋２６は、第１上継手鉄筋２１Ｕと第２上継手鉄筋２２Ｕとの重なり部における定着部２３の近傍に配置されている。
【００３４】
図２及び図３に示されるように、継手コンクリート１３の内部における第１下継手鉄筋２１Ｌと第２下継手鉄筋２２Ｌとが互いに重なる部分の下方には、橋軸方向にオフセットした位置で橋軸直角方向に延在し、橋軸直角方向にオーバーラップしながら連続するように設けられる複数の下補強筋２７が配置されている。下補強筋２７は、継手コンクリート１３の内部で橋軸方向の両端に配置された２本の下通し筋２５の橋軸方向両側に、下通し筋２５を介して連続するように２列に配置されている。下補強筋２７は、橋軸直角方向視において逆Ｌ字状を呈している。
【００３５】
図２及び図４に示されるように、継手コンクリート１３の内部における第１上継手鉄筋２１Ｕと第２上継手鉄筋２２Ｕとが互いに重なる部分の上方には、橋軸方向にオフセットした位置で橋軸直角方向に延在し、橋軸直角方向にオーバーラップしながら連続するように設けられる複数の上補強筋２８が配置されている。上補強筋２８は、第１上継手鉄筋２１Ｕと第２上継手鉄筋２２Ｕとが互いに重なる部分の橋軸方向の両端に配置された２本の上通し筋２６の橋軸方向両側に、上通し筋２６を介して連続するように２列に配置されている。上補強筋２８は、橋軸直角方向視においてＬ字状を呈している。
【００３６】
図５（Ａ）は図２中のＶＡ−ＶＡ断面を示し、図５（Ｂ）は図２中のＶＢ−ＶＢ断面を示し、図５（Ｃ）は図５（Ａ）と図５（Ｂ）とを合成して示している。図６（Ａ）は下補強筋２７の斜視図を、図６（Ｂ）は上補強筋２８の斜視図をそれぞれ示している。
【００３７】
図５、図６に示されるように、下補強筋２７は、１本の鉄筋を曲げ加工して形成され、第１下継手鉄筋２１Ｌ及び第２下継手鉄筋２２Ｌの互いに重なる部分の下方において橋軸直角方向に延在する下部拘束部２７ａと、下部拘束部２７ａと協働して、複数本の第１下継手鉄筋２１Ｌ及び第２下継手鉄筋２２Ｌを３方から囲むように下部拘束部２７ａの両端から上方に延出する一対の第１側部拘束部２７ｂと、第１側部拘束部２７ｂの上端から第１上継手鉄筋２１Ｕと近接して橋軸方向に延出する一対の第１延出部２７ｃとを有している。
【００３８】
上補強筋２８は、１本の鉄筋を曲げ加工して形成され、第１上継手鉄筋２１Ｕ及び第２上継手鉄筋２２Ｕの互いに重なる部分の上方において橋軸直角方向に延在する上部拘束部２８ａと、上部拘束部２８ａと協働して、複数本の第１上継手鉄筋２１Ｕ及び第２上継手鉄筋２２Ｕを３方から囲むように上部拘束部２８ａの両端から下方に延出する一対の第２側部拘束部２８ｂと、第２側部拘束部２８ｂの下端から第２下継手鉄筋２２Ｌと近接して橋軸方向に延出する一対の第２延出部２８ｃとを有している。
【００３９】
図５（Ａ）、（Ｂ）に示されるように、本実施形態の下補強筋２７は、下部拘束部２７ａと一対の第１側部拘束部２７ｂとにより、４本の第１下継手鉄筋２１Ｌ及びそれらの間に配置される３本の第２下継手鉄筋２２Ｌを下方及び両側方から囲んでいる。第１側部拘束部２７ｂは、第１延出部２７ｃを第１上継手鉄筋２１Ｕの側方に配置する長さとされている。従って、下補強筋２７は、４本の第１上継手鉄筋２１Ｕ及びそれらの間に配置される３本の第２上継手鉄筋２２Ｕをも下方及び両側方の３方から囲んでいる。
【００４０】
橋軸直角方向に互いに隣接する下補強筋２７の間には、下補強筋２７により囲まれない下継手鉄筋２１Ｌ、２２Ｌとして、１本の第２下継手鉄筋２２Ｌのみが存在し、第１下継手鉄筋２１Ｌは存在していない。この１本の第２下継手鉄筋２２Ｌは、鉄筋径の分だけオフセットした下補強筋２７により囲まれる。つまり、複数の下補強筋２７が橋軸直角方向にオーバーラップしながら連続するように設けられていることにより、全ての下継手鉄筋２１Ｌ、２２Ｌ及び全ての上継手鉄筋２１Ｕ、２２Ｕが下補強筋２７により３方から囲まれている。
【００４１】
複数の下補強筋２７がこのようにオーバーラップするように連続して配置されていることにより、連続配置された一対の下補強筋２７（図５（Ａ）中の下補強筋２７と図５（Ｂ）中の下補強筋２７）は、下部拘束部２７ａのオーバーラップする部分と、その両端に設けられた一対の第１側部拘束部２７ｂとにより、複数本（２本の第１下継手鉄筋２１Ｌと１本の第２下継手鉄筋２２Ｌとの計３本）の下継手鉄筋２１Ｌ、２２Ｌと、複数本（２本の第１上継手鉄筋２１Ｕと１本の第２上継手鉄筋２２Ｕとの計３本）の上継手鉄筋２１Ｕ、２２Ｕとを３方から囲んでいる。
【００４２】
本実施形態の上補強筋２８は、上部拘束部２８ａと一対の第２側部拘束部２８ｂとにより、４本の第２上継手鉄筋２２Ｕ及びそれらの間に配置される３本の第１上継手鉄筋２１Ｕを上方及び両側方から囲んでいる。第２側部拘束部２８ｂは、第２延出部２８ｃを第２下継手鉄筋２２Ｌの側方に配置する長さとされている。従って、上補強筋２８は４本の第２下継手鉄筋２２Ｌ及びそれらの間に配置される３本の第１下継手鉄筋２１Ｌをも上方及び両側方の３方から囲んでいる。
【００４３】
橋軸直角方向に互いに隣接する上補強筋２８の間には、上補強筋２８により囲まれない上継手鉄筋２１Ｕ、２２Ｕとして、１本の第１上継手鉄筋２１Ｕのみが存在し、第２上継手鉄筋２２Ｕは存在していない。この１本の第１上継手鉄筋２１Ｕは、鉄筋径の分だけオフセットした上補強筋２８により囲まれる。つまり、複数の上補強筋２８が橋軸直角方向にオーバーラップしながら連続するように設けられていることにより、全ての上継手鉄筋２１Ｕ、２２Ｕが上補強筋２８により３方から囲まれている。
【００４４】
複数の上補強筋２８がこのようにオーバーラップするように連続して配置されていることにより、連続配置された一対の上補強筋２８（図５（Ａ）中の上補強筋２８と図５（Ｂ）中の上補強筋２８）は、上部拘束部２８ａのオーバーラップする部分と、その両端に設けられた一対の第２側部拘束部２８ｂとにより、複数本（１本の第１上継手鉄筋２１Ｕと２本の第２上継手鉄筋２２Ｕとの計３本）の上継手鉄筋２１Ｕ、２２Ｕと、複数本（１本の第１下継手鉄筋２１Ｌと２本の第２下継手鉄筋２２Ｌとの計３本）の下継手鉄筋２１Ｌ、２２Ｌとを３方から囲んでいる。
【００４５】
下補強筋２７と上補強筋２８とは、互いに協働することにより、複数本の第１下継手鉄筋２１Ｌ及び第２下継手鉄筋２２Ｌ、並びに複数本の第１上継手鉄筋２１Ｕ及び第２上継手鉄筋２２Ｕを４方から囲んでいる。これにより、全ての継手鉄筋２１、２２が下補強筋２７と上補強筋２８とにより４方から囲まれている。
【００４６】
また、連続配置された一対の下補強筋２７（図５（Ａ）中の１本と図５（Ｂ）中の１本）のオーバーラップする部分と、連続配置された一対の上補強筋２８（図５（Ａ）中の１本と図５（Ｂ）中の１本）のオーバーラップする部分とは、橋軸直角方向において異なる位置に配置されている。これにより、連続配置された一対の下補強筋２７のオーバーラップする部分が３方から囲む６本の継手鉄筋２１（２１Ｕ、２２Ｕ、２１Ｌ、２２Ｌ）と、連続配置された一対の上補強筋２８のオーバーラップする部分が３方から囲む６本の継手鉄筋２１（２１Ｕ、２２Ｕ、２１Ｌ、２２Ｌ）とは、そのうちの４本が共通し、残りの２本が互いに異なるようになっている。
【００４７】
次に、図７及び図８を参照して、ＰＣａ床版８の継手構造１０の構築方法について説明する。
【００４８】
まず、図７に示されるようなＰＣａ床版８を複数用意する。これに先立って上記構成の下通し筋２５、上通し筋２６、下補強筋２７及び上補強筋２８を予め用意する。このＰＣａ床版８は、橋桁３上の所定の位置に配置される際には第２のＰＣａ床版８Ｂになり、橋桁３上に配置された後に次のＰＣａ床版８が橋桁３上の所定の位置に配置される際には第１のＰＣａ床版８Ａになる。ＰＣａ床版８は、図中右側の第１の接合端面１２Ａ側に複数の第１上継手鉄筋２１Ｕ及び複数の第１下継手鉄筋２１Ｌを備え、図中左側の第２の接合端面１２Ｂ側に複数の第２上継手鉄筋２２Ｕ及び複数の第２下継手鉄筋２２Ｌを備えている。
【００４９】
第１継手鉄筋２１側では、第１下継手鉄筋２１Ｌの下方（近接配置されるＰＣａ床版８の第２下継手鉄筋２２Ｌと重なる部分の下方）に３本の下通し筋２５及び２列の下補強筋２７を予め配置し、第１上継手鉄筋２１Ｕの上方（近接配置されるＰＣａ床版８の第２上継手鉄筋２２Ｕと重ならない部分の上方）に１本の上通し筋２６を予め配置しておく。下補強筋２７は、下部拘束部２７ａを第１下継手鉄筋２１Ｌに結束し、第１延出部２７ｃを第１上継手鉄筋２１Ｕに結束するとよい。
【００５０】
第２継手鉄筋２２側では、第２上継手鉄筋２２Ｕの上方に４本の上通し筋２６及び２列の上補強筋２８を予め配置しておく。上補強筋２８は、上部拘束部２８ａを第２上継手鉄筋２２Ｕに結束し、第２延出部２８ｃを第２下継手鉄筋２２Ｌに結束するとよい。
【００５１】
次に、図８（Ａ）に示されるように、このように配筋されたＰＣａ床版８を第１のＰＣａ床版８Ａとして橋桁３（図１）上の所定の位置に配置し、別のＰＣａ床版８を第２のＰＣａ床版８Ｂとして上方から吊り下ろして第１のＰＣａ床版８Ａに近接する橋桁３上の所定の位置に配置する。この際、鉄筋同士が干渉することはない。
【００５２】
第２のＰＣａ床版８Ｂを所定の位置に配置することにより、図８（Ｂ）に示されるように、第１のＰＣａ床版８Ａの第１の接合端面１２Ａと第２のＰＣａ床版８Ｂの第２の接合端面１２Ｂとの間に隙間Ｇが形成され、第２のＰＣａ床版８Ｂの第２上継手鉄筋２２Ｕが第１のＰＣａ床版８Ａの第１上継手鉄筋２１Ｕに橋軸方向に重なり、第２のＰＣａ床版８Ｂの第２下継手鉄筋２２Ｌが第１のＰＣａ床版８Ａの第１下継手鉄筋２１Ｌに橋軸方向に重なる。
【００５３】
また、下補強筋２７が、下部拘束部２７ａと一対の第１側部拘束部２７ｂとにより４本の第１下継手鉄筋２１Ｌ及び３本の第２下継手鉄筋２２Ｌを３方から囲むように配置され、上補強筋２８が、上部拘束部２８ａと一対の第２側部拘束部２８ｂとにより３本の第１上継手鉄筋２１Ｕ及び４本の第２上継手鉄筋２２Ｕを３方から囲むように配置される。つまり、下補強筋２７及び下通し筋２５を予め第１下継手鉄筋２１Ｌに結束して所定の位置に配置しておき、上補強筋２８及び上通し筋２６を予め第２上継手鉄筋２２Ｕに結束して所定の位置に配置しておくことにより、第１のＰＣａ床版８Ａや第２のＰＣａ床版８Ｂを所定の位置に配置した後に鉄筋の組立作業を行う必要がない。
【００５４】
その後、隙間Ｇの下方に型枠３１を組み立て、図８（Ｃ）に示されるように、隙間Ｇにコンクリートを打設し、硬化させることにより、第１下継手鉄筋２１Ｌ、第１下継手鉄筋２１Ｌ、第２上継手鉄筋２２Ｕ、第２下継手鉄筋２２Ｌ、下補強筋２７及び上補強筋２８を巻き込んだ継手コンクリート１３が構築される。継手コンクリート１３が硬化した後、型枠３１は撤去する。これにより、上記構成の継手構造１０が構築される。
【００５５】
以下、実施形態に係る継手構造１０及びその構築方向の作用効果について説明する。
【００５６】
図３及び図４に示されるように、継手構造１０は、第１下継手鉄筋２１Ｌ及び第２下継手鉄筋２２Ｌの互いに重なる部分の下方において橋軸直角方向に延在する下部拘束部２７ａ、及び下部拘束部２７ａと協働して、複数本の第１下継手鉄筋２１Ｌ及び第２下継手鉄筋２２Ｌを３方から囲むように下部拘束部２７ａの両端から上方に延出する一対の第１側部拘束部２７ｂを含み、橋軸直角方向にオーバーラップしながら連続するように設けられる複数の下補強筋２７を備える。また、継手構造１０は、第１上継手鉄筋２１Ｕ及び第２上継手鉄筋２２Ｕの互いに重なる部分の上方において橋軸直角方向に延在する上部拘束部２８ａ、及び上部拘束部２８ａと協働して、複数本の第１上継手鉄筋２１Ｕ及び第２上継手鉄筋２２Ｕを３方から囲むように上部拘束部２８ａの両端から下方に延出する一対の第２側部拘束部２８ｂを含み、橋軸直角方向にオーバーラップしながら連続するように設けられる複数の上補強筋２８とを備える。
【００５７】
これらにより、下継手鉄筋２１Ｌ、２２Ｌが下補強筋２７によって拘束され、上継手鉄筋２１Ｕ、２２が上補強筋２８によって拘束され、継手コンクリート１３の拘束力が高まるため、定着部２３の支圧によってコンクリートにひび割れが生じることが抑制される。また、下補強筋２７を予め第１のＰＣａ床版８Ａに組み付けた状態で第１のＰＣａ床版８Ａを配置し、上補強筋２８を第２のＰＣａ床版８Ｂに予め組み付けた状態で第２のＰＣａ床版８Ｂを配置するため、現場での鉄筋組立作業量をなくすことができる。更に、第１の接合端面１２Ａ及び第２の接合端面１２Ｂを必ずしも凹ませなくても、下補強筋２７及び上補強筋２８を所定の位置に配置できるため、現場コンクリートの打設量低減が可能である。
【００５８】
図２及び図６に示されるように、下補強筋２７は、下部拘束部２７ａ及び一対の第１側部拘束部２７ｂに加え、第１側部拘束部２７ｂの上端から第１上継手鉄筋２１Ｕと近接して橋軸方向に延出する一対の第１延出部２７ｃを更に有している。また、上補強筋２８は、上部拘束部２８ａ及び一対の第２側部拘束部２８ｂに加え、第２側部拘束部２８ｂの下端から第２下継手鉄筋２２Ｌと近接して橋軸方向に延出する一対の第２延出部２８ｃを更に有している。これらにより、第１側部拘束部２７ｂ及び第２側部拘束部２８ｂの継手コンクリート１３への付着力が高くなり、下補強筋２７による下継手鉄筋２１Ｌ、２２Ｌの拘束力及び上補強筋２８による上継手鉄筋２１Ｕ、２２Ｕの拘束力が高まるため、コンクリートのひび割れが効果的に抑制される。
【００５９】
図３〜図５に示されるように、連続するように設けられた一対の下補強筋２７が、下部拘束部２７ａのオーバーラップする部分とその両端に設けられた一対の第１側部拘束部２７ｂとにより、複数本の下継手鉄筋２１Ｌ、２２Ｌ、及び複数本の上継手鉄筋２１Ｕ、２２Ｕを３方から囲んでいる。また、連続するように設けられた一対の上補強筋２８が、上部拘束部２８ａのオーバーラップする部分とその両端に設けられた一対の第２側部拘束部２８ｂとにより、複数本の下継手鉄筋２１Ｌ、２２Ｌ、及び複数本の上継手鉄筋２１Ｕ、２２Ｕを３方から囲んでいる。これらにより、複数本の上継手鉄筋２１Ｕ、２２Ｕ及び複数本の下継手鉄筋２１Ｌ、２２Ｌが、１本の下補強筋２７や上補強筋２８だけでなく、これらのオーバーラップする部分によっても３方から囲まれるため、下補強筋２７や上補強筋２８による下継手鉄筋２１Ｌ、２２Ｌの拘束力及び上継手鉄筋２１Ｕ、２２Ｕの拘束力が高まる。
【００６０】
図５に示されるように、連続するように設けられた一対の下補強筋２７のオーバーラップする部分が３方から囲む上継手鉄筋２１Ｕ、２２Ｕ、下継手鉄筋２１Ｌ、２２Ｌと、連続するように設けられた一対の上補強筋２８のオーバーラップする部分が３方から囲む上継手鉄筋２１Ｕ、２２Ｕ、下継手鉄筋２１Ｌ、２２Ｌとが、少なくとも一部で異なっている。これにより、下補強筋２７により３方から囲まれる継手鉄筋２１、２２のグループと、上補強筋２８により３方から囲まれる継手鉄筋２１、２２のグループとが分散配置され、下補強筋２７及び上補強筋２８による継手鉄筋２１、２２及び継手コンクリート１３に対する拘束力が均等に高まる
【００６１】
図２〜図４に示されるように、複数の下補強筋２７が、第１下継手鉄筋２１Ｌの定着部２３の近傍及び第２下継手鉄筋２２Ｌの定着部２３の近傍を含む橋軸方向の複数列に配置され、複数の上補強筋２８が、第１上継手鉄筋２１Ｕの定着部２３の近傍及び第２上継手鉄筋２２Ｕの定着部２３の近傍を含む橋軸方向の複数列に配置されている。これにより、第１上継手鉄筋２１Ｕと第２上継手鉄筋２２Ｕとの重なり長さ、及び第１下継手鉄筋２１Ｌと第２下継手鉄筋２２Ｌとの重なり長さを長くすることが可能になり、これらの継手コンクリート１３に対する付着力が確保されると共に、下補強筋２７及び上補強筋２８の拘束力が効果的に高くなる。
【００６２】
また、継手構造１０は、第１下継手鉄筋２１Ｌ及び第２下継手鉄筋２２Ｌの互いに重なる部分の下方において橋軸直角方向に延在し、複数の第１下継手鉄筋２１Ｌ及び複数の第２下継手鉄筋２２Ｌの全てに亘る長さを有する下通し筋２５と、第１上継手鉄筋２１Ｕ及び第２上継手鉄筋２２Ｕの互いに重なる部分の上方において橋軸直角方向に延在し、複数の第１上継手鉄筋２１Ｕ及び複数の第２上継手鉄筋２２Ｕの全てに亘る長さを有する上通し筋２６とを更に備えている。これにより、継手部分の橋軸直角方向における曲げ耐力が向上する。また、下補強筋２７及び上補強筋２８による継手鉄筋２１、２２及び継手コンクリート１３に対する拘束力が橋軸直角方向において均等になる。
【００６３】
以上で具体的実施形態の説明を終えるが、本発明は上記実施形態に限定されることなく幅広く変形実施することができる。例えば、各部材や部位の具体的構成や配置、数量、角度など、本発明の趣旨を逸脱しない範囲であれば適宜変更可能である。一方、上記実施形態に示した各構成要素は必ずしも全てが必須ではなく、適宜選択することができる。
【符号の説明】
【００６４】
８      ＰＣａ床版
８Ａ    第１のＰＣａ床版
８Ｂ    第２のＰＣａ床版
１０    継手構造
１１    床版本体部
１２    接合端面
１２Ａ  第１の接合端面
１２Ｂ  第２の接合端面
１３    継手コンクリート
２１    第１継手鉄筋
２１Ｌ  第１下継手鉄筋
２１Ｕ  第１上継手鉄筋
２２    第２継手鉄筋
２２Ｌ  第２下継手鉄筋
２２Ｕ  第２上継手鉄筋
２３    定着部
２５    下通し筋
２６    上通し筋
２７    下補強筋
２７ａ  下部拘束部
２７ｂ  第１側部拘束部
２７ｃ  第１延出部
２８    上補強筋
２８ａ  上部拘束部
２８ｂ  第２側部拘束部
２８ｃ  第２延出部
Ｇ      隙間
【図１】
0006567965.tif 000002
【図２】
0006567965.tif 000003
【図３】
0006567965.tif 000004
【図４】
0006567965.tif 000005
【図５】
0006567965.tif 000006
【図６】
0006567965.tif 000007
【図７】
0006567965.tif 000008
【図８】
0006567965.tif 000009